【手続補正書】
【提出日】平成23年1月17日(2011.1.17)
【手続補正１】
【補正対象書類名】特許請求の範囲
【補正対象項目名】全文
【補正方法】変更
【補正の内容】
【特許請求の範囲】
【請求項１】
互いに連通する第一室と第二室内に混合溶融塩が収容され、且つ前記第一室内に配置された陽極と前記第二室内に配置された陰極とを有する電解槽と、
前記電解槽の第一室内の空間に連通する第一供給配管及び排出配管と、
前記排出配管に設けられたコンプレッサと、
を備えるガス発生装置を用いたガス発生方法であって、
前記陽極と前記陰極との間に電圧を印加して、前記陽極室内に生成ガスを生成するガス生成工程と、次いで、
前記陽極と前記陰極との間への電圧の印加が停止し且つ前記コンプレッサを駆動した状態で、前記第一供給配管を介して前記陽極室内に不活性ガスを供給するとともに該排出配管を介して前記陽極室内から前記生成ガスを排出するガス排出工程とを含むことを特徴とするガス発生方法。
【請求項２】
前記ガス発生装置は前記排出配管に接続されたガス貯蔵部をさらに備え、
前記ガス生成工程は、前記陽極室内に生成した前記生成ガスを前記排出配管を介して前記ガス貯蔵部に送り、前記コンプレッサを駆動することによって該生成ガスを圧縮した状態で貯蔵する工程を含むことを特徴とする請求項１に記載のガス発生方法。
【請求項３】
前記ガス排出工程に次いで、前記ガス貯蔵部に貯蔵された前記生成ガスを前記第一室内に供給して、前記第一室内に前記生成ガスを充満する再開工程を含むことを特徴とする請求項２に記載のガス発生方法。
【請求項４】
前記ガス発生装置は、前記電解槽の第二室内の空間に連通する第二供給配管と、
前記排出配管のうちの前記電解槽と前記ガス貯蔵部との間に接続された分岐配管と、
供給されたガスのうちから原料ガスを除去して残りのガスを排出する第一原料ガス除去部と、をさらに備え、
前記ガス生成工程は、前記第二供給配管を介して前記原料ガスを前記電解槽内に供給する工程を含み、
前記ガス排出工程は、前記分岐配管を介して残留した前記原料ガスを前記第一原料ガス除去部に送る工程を含むことを特徴とする請求項２又は３に記載のガス発生方法。
【請求項５】
前記ガス発生装置は、前記排出配管のうちの前記電解槽と前記ガス貯蔵部との間に介在され、且つ供給されたガスのうちから前記原料ガスを除去して残りのガスを排出する第二原料ガス除去部をさらに備え、
前記ガス生成工程は、前記生成ガス及び残留した前記原料ガスを前記排出配管を介して前記第二原料ガス除去部に送り、該第二原料ガス除去部において前記残留した原料ガスを除去してから、前記生成ガスを前記ガス貯蔵部に送る工程を含むことを特徴とする請求項２乃至４の何れか一項に記載のガス発生方法。
【請求項６】
前記ガス発生装置の前記コンプレッサは前記排出配管のうちの前記分岐配管が接続された部分と前記ガス貯蔵部との間に設けられていることを特徴とする請求項２乃至５の何れか一項に記載のガス発生方法。
【請求項７】
前記ガス発生装置は、分岐配管に設けられた真空ポンプをさらに備え、
前記ガス排出工程は、前記真空ポンプを駆動した状態で行うことを特徴とする請求項１乃至６の何れか一項に記載のガス発生方法。
【請求項８】
前記ガス排出工程は、前記第一室内に前記不活性ガスを充満する工程を含むことを特徴とする請求項１乃至７の何れか一項に記載のガス発生方法。
【請求項９】
前記混合溶融塩はＫＦ・２ＨＦであり、前記生成ガスはＦ2であることを特徴とする請求項１乃至８の何れか一項に記載のガス発生方法。
【請求項１０】
前記不活性ガスはＮ2であることを特徴とする請求項９に記載のガス発生方法。
【請求項１１】
互いに連通する第一室と第二室内に混合溶融塩が収容され、且つ前記第一室内に配置された陽極と前記第二室内に配置された陰極とを有する電解槽と、
前記電解槽の第一室内の空間に連通する第一供給配管及び排出配管と、
前記排出配管に設けられたコンプレッサと、
を備え、
前記陽極と前記陰極との間に電圧を印加して、前記陽極室内に生成ガスを生成するガス生成工程と、次いで、
前記陽極と前記陰極との間への電圧の印加が停止し且つ前記コンプレッサを駆動した状態で、前記第一供給配管を介して前記陽極室内に不活性ガスを供給するとともに該排出配管を介して前記陽極室内から前記生成ガスを排出するガス排出工程とを行うことを特徴とするガス発生装置。
【請求項１２】
前記排出配管に接続されたガス貯蔵部をさらに備え、
前記ガス生成工程において、前記陽極室内に生成した前記生成ガスを前記排出配管を介して前記ガス貯蔵部に送り、前記コンプレッサを駆動することによって該生成ガスを圧縮した状態で貯蔵することを特徴とする請求項１１に記載のガス発生装置。
【請求項１３】
前記ガス排出工程に次いで、前記ガス貯蔵部に貯蔵された前記生成ガスを前記第一室内に供給して、前記第一室内に前記生成ガスを充満することを特徴とする請求項１２に記載のガス発生装置。
【請求項１４】
前記電解槽の第二室内の空間に連通する第二供給配管と、
前記排出配管のうちの前記電解槽と前記ガス貯蔵部との間に接続された分岐配管と、
供給されたガスのうちから前記原料ガスを除去して残りのガスを排出する第一原料ガス除去部と、をさらに備え、
前記ガス生成工程において、前記第二供給配管を介して原料ガスを前記電解槽内に供給し、
前記ガス排出工程において、前記分岐配管を介して残留した前記原料ガスを前記原料ガス除去部に送ることを特徴とする請求項１２又は１３に記載のガス発生装置。
【請求項１５】
前記排出配管のうちの前記電解槽と前記ガス貯蔵部との間に介在され、且つ供給されたガスのうちから前記原料ガスを除去して残りのガスを排出する第二原料ガス除去部をさらに備え、
前記ガス生成工程において、前記生成ガス及び残留した前記原料ガスを前記排出配管を介して前記第二原料ガス除去部に送り、該第二原料ガス除去部において前記残留した原料ガスを除去してから、前記生成ガスを前記ガス貯蔵部に送ることを特徴とする請求項１２乃至１４の何れか一項に記載のガス発生装置。
【請求項１６】
前記コンプレッサが、前記排出配管のうちの前記分岐配管が接続された部分と前記ガス貯蔵部との間に設けられていることを特徴とする請求項１２乃至１５の何れか一項に記載のガス発生装置。
【請求項１７】
分岐配管に設けられた真空ポンプをさらに備え、
前記生成ガスの排出を、前記真空ポンプを駆動した状態で行うことを特徴とする請求項１１乃至１６の何れか一項に記載のガス発生装置。
【請求項１８】
前記ガス排出工程において、前記第一室内に前記不活性ガスを充満することを特徴とする請求項１１乃至１７の何れか一項に記載のガス発生装置。
【請求項１９】
前記混合溶融塩はＫＦ・２ＨＦであり、前記生成ガスはＦ2であることを特徴とする請求項１１乃至１８の何れか一項に記載のガス発生装置。
【請求項２０】
前記不活性ガスはＮ2であることを特徴とする請求項１９に記載のガス発生装置。
【手続補正２】
【補正対象書類名】明細書
【補正対象項目名】発明の名称
【補正方法】変更
【補正の内容】
【発明の名称】ガス発生方法およびその装置
【手続補正３】
【補正対象書類名】明細書
【補正対象項目名】０００１
【補正方法】変更
【補正の内容】
【０００１】
この発明はガス発生方法およびその装置に関する。
【手続補正４】
【補正対象書類名】明細書
【補正対象項目名】０００７
【補正方法】変更
【補正の内容】
【０００７】
そこで、この発明は、メンテナンス終了後から通常の動作を再開するまでの時間を短縮することができ、また原料のＨＦを有効に使用することができるガス発生方法およびその装置を提供することを目的とする。
【手続補正５】
【補正対象書類名】明細書
【補正対象項目名】０００８
【補正方法】変更
【補正の内容】
【０００８】
本発明に係るガス発生方法は、互いに連通する第一室と第二室内に混合溶融塩が収容され、且つ前記第一室内に配置された陽極と前記第二室内に配置された陰極とを有する電解槽と、
前記電解槽の第一室内の空間に連通する第一供給配管及び排出配管と、
前記排出配管に設けられたコンプレッサと、
を備えるガス発生装置を用いたガス発生方法であって、
前記陽極と前記陰極との間に電圧を印加して、前記陽極室内に生成ガスを生成するガス生成工程と、次いで、
前記陽極と前記陰極との間への電圧の印加が停止し且つ前記コンプレッサを駆動した状態で、前記第一供給配管を介して前記陽極室内に不活性ガスを供給するとともに該排出配管を介して前記陽極室内から前記生成ガスを排出するガス排出工程とを含むことを特徴とする。
好ましくは、前記ガス発生装置は前記排出配管に接続されたガス貯蔵部をさらに備え、
前記ガス生成工程は、前記陽極室内に生成した前記生成ガスを前記排出配管を介して前記ガス貯蔵部に送り、前記コンプレッサを駆動することによって該生成ガスを圧縮した状態で貯蔵する工程を含む。
好ましくは、前記ガス排出工程に次いで、前記ガス貯蔵部に貯蔵された前記生成ガスを前記第一室内に供給して、前記第一室内に前記生成ガスを充満する再開工程を含む。
好ましくは、前記ガス発生装置は、前記電解槽の第二室内の空間に連通する第二供給配管と、
前記排出配管のうちの前記電解槽と前記ガス貯蔵部との間に接続された分岐配管と、
供給されたガスのうちから原料ガスを除去して残りのガスを排出する第一原料ガス除去部と、をさらに備え、
前記ガス生成工程は、前記第二供給配管を介して前記原料ガスを前記電解槽内に供給する工程を含み、
前記ガス排出工程は、前記分岐配管を介して残留した前記原料ガスを前記第一原料ガス除去部に送る工程を含む。
好ましくは、前記ガス発生装置は、前記排出配管のうちの前記電解槽と前記ガス貯蔵部との間に介在され、且つ供給されたガスのうちから前記原料ガスを除去して残りのガスを排出する第二原料ガス除去部をさらに備え、
前記ガス生成工程は、前記生成ガス及び残留した前記原料ガスを前記排出配管を介して前記第二原料ガス除去部に送り、該第二原料ガス除去部において前記残留した原料ガスを除去してから、前記生成ガスを前記ガス貯蔵部に送る工程を含む。
好ましくは、前記ガス発生装置の前記コンプレッサは前記排出配管のうちの前記分岐配管が接続された部分と前記ガス貯蔵部との間に設けられている。
好ましくは、前記ガス発生装置は、分岐配管に設けられた真空ポンプをさらに備え、
前記ガス排出工程は、前記真空ポンプを駆動した状態で行う。
好ましくは、前記ガス排出工程は、前記第一室内に前記不活性ガスを充満する工程を含む。
好ましくは、前記混合溶融塩はＫＦ・２ＨＦであり、前記生成ガスはＦ2である。
好ましくは、前記不活性ガスはＮ2である。
また、本発明に係るガス発生装置は、互いに連通する第一室と第二室内に混合溶融塩が収容され、且つ前記第一室内に配置された陽極と前記第二室内に配置された陰極とを有する電解槽と、
前記電解槽の第一室内の空間に連通する第一供給配管及び排出配管と、
前記排出配管に設けられたコンプレッサと、
を備え、
前記陽極と前記陰極との間に電圧を印加して、前記陽極室内に生成ガスを生成するガス生成工程と、次いで、
前記陽極と前記陰極との間への電圧の印加が停止し且つ前記コンプレッサを駆動した状態で、前記第一供給配管を介して前記陽極室内に不活性ガスを供給するとともに該排出配管を介して前記陽極室内から前記生成ガスを排出するガス排出工程とを行うことを特徴とする。
好ましくは、前記排出配管に接続されたガス貯蔵部をさらに備え、
前記ガス生成工程において、前記陽極室内に生成した前記生成ガスを前記排出配管を介して前記ガス貯蔵部に送り、前記コンプレッサを駆動することによって該生成ガスを圧縮した状態で貯蔵する。
好ましくは、前記ガス排出工程に次いで、前記ガス貯蔵部に貯蔵された前記生成ガスを前記第一室内に供給して、前記第一室内に前記生成ガスを充満する。
好ましくは、前記電解槽の第二室内の空間に連通する第二供給配管と、
前記排出配管のうちの前記電解槽と前記ガス貯蔵部との間に接続された分岐配管と、
供給されたガスのうちから前記原料ガスを除去して残りのガスを排出する第一原料ガス除去部と、をさらに備え、
前記ガス生成工程において、前記第二供給配管を介して原料ガスを前記電解槽内に供給し、
前記ガス排出工程において、前記分岐配管を介して残留した前記原料ガスを前記原料ガス除去部に送る。
好ましくは、前記排出配管のうちの前記電解槽と前記ガス貯蔵部との間に介在され、且つ供給されたガスのうちから前記原料ガスを除去して残りのガスを排出する第二原料ガス除去部をさらに備え、
前記ガス生成工程において、前記生成ガス及び残留した前記原料ガスを前記排出配管を介して前記第二原料ガス除去部に送り、該第二原料ガス除去部において前記残留した原料ガスを除去してから、前記生成ガスを前記ガス貯蔵部に送る。
好ましくは、前記コンプレッサが、前記排出配管のうちの前記分岐配管が接続された部分と前記ガス貯蔵部との間に設けられている。
好ましくは、分岐配管に設けられた真空ポンプをさらに備え、
前記生成ガスの排出を、前記真空ポンプを駆動した状態で行う。
好ましくは、前記ガス排出工程において、前記第一室内に前記不活性ガスを充満する。
好ましくは、前記混合溶融塩はＫＦ・２ＨＦであり、前記生成ガスはＦ2である。
好ましくは、前記不活性ガスはＮ2である。
【手続補正６】
【補正対象書類名】明細書
【補正対象項目名】０００９
【補正方法】変更
【補正の内容】
【０００９】
この発明によれば、電解槽内のメンテナンスを行った後、不活性ガスを排気してから、予め貯蔵しておいた生成ガスを導入して電解槽内の雰囲気を生成ガスに置換し、生成ガスに置換後、電解槽を稼動するようにしているので、電解槽内のメンテナンスを行った後、直ちに通常の動作を再開することができ、したがってメンテナンス終了後から通常の動作を再開するまでの時間を短縮することができ、また原料ガスを有効に使用することも可能となる。